【事件の表示】
　特許第２９７８１５３号「弾球遊技機」の請求項１ないし６に係る特許に対する特許異議の申立てについて、次のとおり決定する。
【結　論】
　訂正を認める。
　特許第２９７８１５３号の請求項１ないし５に係る特許を取り消す。
【理　由】
（１）手続の経緯
　特許２９７８１５３号の請求項１ないし６に係る発明は、平成１０年６月２９日に特許出願され、平成１１年９月１０日に特許の設定登録がなされた。
　これに対して、「町田彬」より特許異議の申立てがなされ、取消理由通知がなされ、その指定期間内である平成１２年１０月２５日に訂正請求がなされたものである。
（２）訂正の適否についての判断
１．訂正の内容
訂正事項ａ
特許請求の範囲の請求項１の第１３〜１４行目の「賞品球排出制御部（７９）」を、「景品球排出制御部（７９）」と訂正する。
訂正事項ｂ
特許請求の範囲の請求項１の第１４行目の「備えた」を、「備え、更に、全ての前記入賞口（４３）（５１）（６０）（６５）（６６）（７０）の前記入賞球検出スイッチ（５５）（５６）（６３）（６４）（６７）（６８）（７１）からの入賞球情報を外部に取り出し得る入賞球情報出力部（８０）を設けた」と訂正する。
訂正事項ｃ
特許請求の範囲の請求項４の第１〜２行目の「前記入賞球検出スイッチ（５５）（５６）（６３）（６４）（６７）（６８）（７１）からの入賞球情報を出力する入賞球情報出力部（８０）を設けた」を、「前記通過球検出スイッチ（５７）（７３）からの通過球情報を出力する通過球情報出力部（８１）を設けた」と訂正する。
訂正事項ｄ
特許請求の範囲の請求項５の第１〜２行目の「前記通過球検出スイッチ（５７）（７３）からの通過球情報を出力する通過球情報出力部（８１）を設けた」を、「前記遊技制御手段（２８）からの遊技情報を出力する遊技情報出力部（８２）を設けた」と訂正する。
訂正事項ｅ
特許請求の範囲の請求項６を削除する。
訂正事項ｆ
明細書の段落００１０の第１３行目の「賞品球排出制御部７９」を、「景品球排出制御部７９」と訂正する。
訂正事項ｇ
明細書の段落００１０の第１４行目の「備えた」を、「備え、更に、全ての前記入賞口４３，５１，６０，６５，６６，７０の前記入賞球検出スイッチ５５，５６，６３，６４，６７，６８，７１からの入賞球情報を外部に取り出し得る入賞球情報出力部８０を設けた」と訂正する。
訂正事項ｈ
明細書の段落００４４の第１３行目の「賞品球排出制御部７９」を、「景品球排出制御部７９」と訂正する。
訂正事項ｉ
明細書の段落００４４の第１３行目の「備えているので」を、「備え、更に、全ての前記入賞口４３，５１，６０，６５，６６，７０の前記入賞球検出スイッチ５５，５６，６３，６４，６７，６８，７１からの入賞球情報を外部に取り出し得る入賞球情報出力部８０を設けているので」と訂正する。
訂正事項ｊ
明細書の段落００４７を削除する。
２．訂正の目的の適否、新規事項の有無及び拡張・変更の存否についての判断
ア　訂正事項ａ、訂正事項ｆ、訂正事項ｈについては、「賞品球排出制御部（７９）」を「景品球排出制御部（７９）」に訂正しようとするものであるが、「賞品球排出制御部（７９）」が「景品球排出制御部（７９）」の誤記であることは、特許明細書の段落００３１の第５〜６行目、段落００３２の第１行目等の記載から明らかであり、訂正事項ａ、ｆ、ｈは特許法第１２０条の４第２項ただし書第２号に規定する誤記の訂正に相当する。
イ　訂正事項ｂについては、訂正前の請求項１の記載に、特許明細書の段落００２８の第３〜５行目、訂正前の請求項４、及び特許明細書の段落００３３の第２〜４行目に記載されていた「全ての入賞口（４３）（５１）（６０）（６５）（６６）（７０）の入賞球検出スイッチ（５５）（５６）（６３）（６４）（６７）（６８）（７１）からの入賞球情報を外部に取り出し得る入賞球情報出力部（８０）を設けた」構成を加えたものであり、訂正事項ｃについては、訂正前の請求項５を訂正後の請求項４に繰り上げるものであり、訂正事項ｄについては、訂正前の請求項６を訂正後の請求項５に繰り上げるものであり、訂正事項ｅについては、請求項６を削除するものである。したがって、訂正事項ｂ、ｃ、ｄ、ｅは特許法第１２０条の４第２項ただし書第１号に規定する特許請求の範囲の減縮に相当する。 
ウ　訂正事項ｇ、訂正事項ｉ、訂正事項ｊについては、特許請求の範囲の減縮（前記イ）に伴って、減縮された特許請求の範囲の記載と発明の詳細な説明の記載とを整合させるための特許法第１２０条の４第２項ただし書第３号に規定する明瞭でない記載の釈明に相当する。
　また、上記訂正事項ａ〜ｊは、願書に添付した明細書又は図面に記載した事項の範囲内の訂正であり、実質上特許請求の範囲を拡張し又は変更するものでもないから、特許法第１２０条の４第３項において準用する特許法第１２６条第２項及び第３項の規定に適合するものである。 
３．むすび
　以上のとおりであるから、上記訂正は、特許法第１２０条の４第２項ただし書，第１２０条の４第３項において準用する第１２６条第２，３項の規定に適合するので、当該訂正を認める。
（３）特許異議の申立てについての判断
１．本件発明 
  上記（２）で示したように上記訂正が認められるから、本件の請求項１ないし５に係る発明は、上記訂正に係る訂正明細書の特許請求の範囲の請求項１ないし５に記載された次の事項により特定されるとおりのものである。
【請求項１】　遊技領域(37)内に複数個の入賞口(43)(51)(60)(65)(66)(70)が配置された遊技盤(7) と、前記入賞口(43)(51)(60)(65)(66)(70)に入賞した入賞球を遊技盤(7) の裏側で１個づつ排出する入賞球排出手段(32)と、景品球を排出する景品球排出手段(18)と、入賞球に応じて前記入賞球排出手段(32)及び前記景品球排出手段(18)を制御する排出制御手段(77)と、主に遊技盤(7) 側に係わる遊技動作を制御する遊技制御手段(28)とを備え、各入賞口(43)(51)(60)(65)(66)(70)に入賞した入賞球を検出する入賞球検出スイッチ(55)(56)(63)(64)(67)(68)(71)を、前記遊技領域(37)内の全ての入賞口(43)(51)(60)(65)(66)(70)に夫々対応して設け、該各入賞球検出スイッチ(55)(56)(63)(64)(67)(68)(71)を遊技盤(7) の裏側から着脱自在に備え、前記排出制御手段(77)は、入賞球を検出する毎に前記入賞球排出手段(32)の排出動作を制御する入賞球排出制御部(78)と、前記入賞球排出手段(32)が入賞球を１個排出する毎に前記景品球排出手段(18)が規定数の景品球を排出するように該景品球排出手段(18)の排出動作を制御する景品球排出制御部(79)とを備え、更に、全ての前記入賞口(43)(51)(60)(65)(66)(70)の前記入賞球検出スイッチ(55)(56)(63)(64)(67)(68)(71)からの入賞球情報を外部に取り出し得る入賞球情報出力部（８０）を設けたことを特徴とする弾球遊技機。
【請求項２】　前記複数個の入賞口(43)(51)(60)(65)(66)(70)の内、一部の入賞口(60)への入賞による景品球が、他の入賞口(43)(51)(65)(66)(70)への入賞による景品球と異なることを特徴とする請求項１に記載の弾球遊技機。
【請求項３】　前記遊技領域(37)に配置された全ての遊技球通過用のゲート(41)又は通過口(47)に、遊技球の通過を検出する通過球検出スイッチ(57)(73)を設けたことを特徴とする請求項１又は２に記載の弾球遊技機。
【請求項４】前記通過球検出スイッチ(57)(73)からの通過球情報を出力する通過球情報出力部(81)を設けたことを特徴とする請求項１〜３の何れかに記載の弾球遊技機。
【請求項５】前記遊技制御手段(28)からの遊技情報を出力する遊技情報出力部(82)を設けたことを特徴とする請求項１〜４の何れかに記載の弾球遊技機。
２．引用刊行物
　平成１２年８月２１日付けの取消理由通知書において引用した刊行物１（特開平10-15183号公報．．．甲第１号証）には、
「遊技領域に打玉を打込んで遊技が行なわれる弾球遊技機であって、前記遊技領域に設けられ、打玉の入賞により払出される景品玉数が互いに異なる複数種別に分類される複数の入賞領域と、該複数の入賞領域のすべての種別の入賞領域への入賞玉を入賞領域の種別を認識可能な態様で検出する第１の入賞玉検出手段と、前記複数の入賞領域に入賞したすべての入賞玉を検出できる位置に設けられた第２の入賞玉検出手段と、複数の種類の個数の景品玉を払出可能な景品玉払出手段と、前記第２の入賞玉検出手段の検出出力を受け、前記第２の入賞玉検出手段により入賞玉が検出された場合に、入賞があった前記入賞領域の種別に応じた個数の景品玉を払出すように前記景品玉払出手段の制御を行なう景品玉払出制御手段と、前記弾球遊技機の遊技状態を制御する手段であって、前記入賞領域の種別毎の景品玉数を予め記憶するとともに、前記第１の入賞玉検出手段の検出出力を受け、前記第１の入賞玉検出手段により入賞玉が検出された場合に、前記記憶されている種別毎の景品玉数の情報に基づいて、その入賞玉が検出された種別の入賞領域に対応する景品玉数を特定する景品玉数特定情報を前記景品玉払出制御手段へ与える制御を行なう遊技制御手段とを含み、前記景品玉払出制御手段は、前記遊技制御手段から受けた景品玉数特定情報に基づいて前記第１の入賞玉検出手段により検出された入賞玉の個数を示す入賞個数情報を景品玉数特定情報の種類別に記憶し、その入賞個数情報の記憶がある種類の景品玉数特定情報に対応する景品玉数を前記第２の入賞玉検出手段からの入賞玉の検出出力に応じて払出す制御を行なうことを特徴とする、弾球遊技機。」（第１欄第２行〜第３５行）、
「この遊技盤３０には、打玉を誘導する誘導レール３１がほぼ円状に設けられ、その誘導レール３１に囲まれる中側範囲が遊技領域３２を構成し、その遊技領域３２に可変表示装置や可変入賞球装置および入賞口等の遊技装置が配置されるものである。より詳細に説明すると、遊技領域３２のほぼ中央には、複数の回転ドラム機構を内蔵する可変表示装置３３が配置され、該可変表示装置３３の下部に始動入賞口３４と可変入賞球装置３５とが配置されている。始動入賞口３４は、可変表示装置３３の回転ドラム機構を回転せしめるためのものであり、このため、始動入賞口３４に入賞した入賞玉は、遊技盤３０の裏面に導かれて図３に示すように、入賞玉集合カバー体４５に設けられる始動入賞玉検出器４６によって検出されるようになっている。また、可変入賞球装置３５は、ソレノイド３７によって開閉駆動される開閉板３６を有し、該開閉板３６の内部が３つに区画され、そのうちの中央が特定入賞領域として設定され、その特定入賞領域に特定入賞玉検出器３８が臨み、左右に入賞玉検出器３９ａ，３９ｂが臨設されている。また、遊技盤３０には、前記した構成以外にアウト口４０が遊技領域３２の最下方に設けられ、遊技領域３２の中央部左右に入賞口４２ａ，４２ｂが設けられ、遊技領域３２の上部外側に払出ランプ４３と玉切れランプ４４とが設けられている。
【００１５】遊技領域３２内には、さらに、通常の入賞口４８，４９ａ，４９ｂが設けられている。可変入賞球装置３５の開閉板３６内部に打玉が入賞した場合には１５個の景品玉が払出され、始動入賞口３４に打玉が入賞した場合には５個の景品玉が払出され、それ以外の通常の入賞口４２ａ，４２ｂ，４８，４９ａ，４９ｂに打玉が入賞した場合には１０個の景品玉が払出される。このように、遊技領域３２には、打玉の入賞により払出される景品玉が互いに異なる複数種別に分類される複数の入賞領域が設けられている。」（第５欄第３０行〜第６欄第１３行）、
「【００１７】ところで、遊技盤３０の裏面には、図３に示すように、遊技盤３０の表面に設けられる前記の各種の入賞口または入賞装置に入賞した入賞玉を誘導して集合させる入賞玉集合カバー体４５が設けられている。この入賞玉集合カバー体４５には、入賞玉を誘導するための複数の誘導通路４５１，４５２，４５３，４５４，４５５が設けられている。そして、通常の入賞口４８，４２ａ，４２ｂ，４９ａ，４９ｂに入賞した入賞玉が誘導通路４５１，４５２，４５３，４５４により誘導される。誘導通路４５１，４５２で誘導されてきた入賞玉は、それぞれ入賞玉検出スイッチ４１ａ，４１ｂにより検出される。入賞口４９ａ，４９ｂに入賞した入賞玉は、入賞玉検出スイッチ４１ｃ，４１ｄにより検出される始動入賞口３４に入賞した入賞玉は、始動入賞玉検出器４６により検出される。可変入賞球装置３５の開閉板３６内部に入賞した入賞玉のうち、特定入賞領域に入賞した入賞玉が特定入賞玉検出器３８により検出され、それ以下の入賞玉が通常入賞玉検出器３９ａ，３９ｂにより検出される。開閉板３６内部に入賞した入賞玉は、誘導通路４５５により誘導される。【００１８】このパチンコ遊技機１においては、前述したように、入賞領域の種別に応じて景品玉の払出個数が異なっており、このような入賞玉の区別をするために、特定入賞玉検出器３８，通常入賞玉検出器３９ａ，３９ｂ，始動入賞玉検出器４６，入賞玉検出スイッチ４１ａ，４１ｂ，４１ｃ，４１ｄからの検出信号が、遊技制御回路基板１９９（図２参照）に送られるようになっている。」（第７欄第３行〜第３０行）、
「【００２１】機構板６０には、さらに、払出制御回路基板用の基板ボックス１４９と、遊技制御を行なうための遊技制御基板１９９を収納する遊技制御基板ボックス１９８とが設けられている。図中３３は可変表示装置であり、４７は遊技中継基板である。遊技領域に打込まれて入賞領域あるいは可変入賞球装置内に入賞した入賞玉は、入賞玉処理装置１１５により処理され、その入賞玉１個につき，所定個数の景品玉が玉払出装置９７から払出される。」（第８欄第１５行〜第２３行）、
「【００４０】上記のように構成される玉払出装置９７においては、玉供給路１８１ａ，１８１ｂから供給される景品玉が玉送り水平路１８４ａ，１８４ｂの後端部に供給された位置で停止された状態において、ステッピングモータ１８９回転を開始すると、スクリュー１８８の螺旋突起１８８ａにより景品玉が玉送り水平路１８４ａ，１８４ｂ上を前方に向かって移動し、遂には、玉送り水平路１８４ａ，１８４ｂの終端から玉排出路１８３ａ，１８３ｂに向けて落下する。このとき、左右の玉送り水平路１８４ａと１８４ｂからの景品玉の落下は、交互に行なわれるが、この交互の落下は、スクリュー１８８が半回転する毎に一方から１個の景品玉が落下するので、結局１個の景品玉が落下する毎に発光素子１８６からの光が受光素子１８７によって検出されることになる。このため、受光素子１８７によって検出された信号数が予め定められた景品玉数（１個の入賞に対応する）に到達したときにステッピングモータ１８９の駆動を停止するように制御することにより、正確に入賞に対応する景品玉を払出すことができる。」（第１４欄第１４行〜第３２行）、
「さらに、下部ベースユニット６３の下部１側には、入賞玉処理装置１１５および前記玉払出装置９７の動作を制御する景品玉払出制御基板１５２を収納する基板ボックス１４９を収納する収納部１４８が形成されている。入賞玉処理装置１１５は、入賞玉排出ソレノイド１２７、入賞玉検出器１２２、入賞玉出口１２１、第１玉係止部１２４、第２玉係止部１３０を含む。前記各種の入賞口または入賞装置に入賞して入賞玉集合カバー体４５により誘導されたすべての入賞玉は、図示しない入賞玉入口から入賞玉処理装置１１５に導かれ、第１玉係止部および第２玉係止部により係止され、入賞玉検出器１２２により検出される。入賞玉排出ソレノイド１２７は、第１，第２玉係止部１２４，１３０を動作させることにより、入賞玉検出器１２２により検出された入賞玉を１個ずつ入賞玉出口１２１から外部へ排出させる動作を行なう。【００４６】前記基板ボックス１４９に収納される払出制御回路基板１５２には、前記入賞玉検出器１２２からの入賞玉信号を受けて玉払出装置９７のステッピングモータ１８９に駆動開始信号を導出し、玉払出装置９７内に設けられる計数検出手段からの信号を計数してその計数値が予め定められた払出景品玉数となったときにステッピングモー夕１８９に駆動停止信号を導出して景品玉の払出動作を停止させるとともに、入賞玉処理装置１１５のソレノイド１２７に駆動信号を与える。」（第１６欄第５行〜第２９行）
が記載されている。  
　刊行物１における前記摘示の記載によれば、刊行物１には、以下の発明が記載されているものと認められる。
 「遊技領域に始動入賞口３４、入賞口４２ａ，４２ｂ、通常の入賞口４８，４９ａ，４９ｂが設けられた遊技盤と、前記入賞口に入賞した入賞玉を遊技盤の裏面で１個づつ入賞玉出口から排出する入賞玉処理装置１１５と、景品玉を払出す玉払出装置９７と、入賞玉に応じて前記入賞玉処理装置１１５及び前記玉払出装置９７を制御する景品玉払出制御基板１５２と、主に遊技盤側に係わる遊技動作を制御する遊技制御用マイクロコンピュータ２０２とを備え、始動入賞口３４、可変入賞球装置３５、入賞口４９ａ、４９ｂは入賞口に対応してそれぞれ始動入賞玉検出器４６、特定入賞玉検出器３８及び通常入賞玉検出器３９ａ，３９ｂ、入賞玉検出スイッチ４１ｃ、４１ｄを、通常の入賞口４８、入賞口４２ａ、４２ｂに入賞した入賞玉を検出する入賞玉検出スイッチ４１ａ、４１ｂを設け、前記景品玉払出制御基板１５２は、入賞玉を検出する毎に前記入賞玉処理装置１１５の排出動作を制御する入賞玉排出ソレノイド１２７に駆動信号を導出する払出制御用マイクロコンピュータ２２０と、前記入賞玉処理装置１１５が入賞玉を１個排出する毎に前記玉払出装置９７が５個、１０個等払出個数が異なる景品玉を払出するように該玉払出装置９７の払出動作を制御する玉払出装置のステッピングモーター１８９に駆動信号を導出する払出制御用マイクロコンピュータ２２０とを備えた弾球遊技機。」
　同じく引用した刊行物２（特開平９一５６８９８号公報．．．甲第２号証）には、
「【発明の属する技術分野】本発明は、パチンコ遊技機やコイン遊技機などで代表される遊技機に関し、詳しくは、表示状態が変化可能な可変表示装置を有する遊技機に関する。」（第１欄第４３行〜第４６行）、
「【００２０】遊技領域３には、通過口１３が設けられており、打玉がこの通過口１３を通過すると、その旨が通過玉検出器３０により検出されて、可変始動口装置１４に設けられた可変表示器１７における図柄（以下、可変表示器１７に表示される図柄を普通図柄という）の可変表示が開始される。そして、その可変停止結果が予め定められた図柄になれば、可変始動口装置１４の左右の開閉片１６が開成して、打玉が始動口１５に入賞しやすい状態となる。可変表示器１７の可変表示が行なわれている最中に打玉が通過口１３を通過すれば、その通過数が通過記憶表示器１８に表示される。この通過玉の記憶の上限は４個に定められている。」（第５欄第３２行〜第４３行）、
「【００６３】遊技制御基板５４ａは、情報中継端子６８と情報出力端子６２を介して管理装置６３の情報入力端子７０に、パチンコ遊技機３４の機種を特定する機種コード情報，特定遊技状態の発生確率の設定値情報，可変表示部５において大当たりが発生した場合の特別図柄大当り情報（特定遊技状態の発生情報），その大当りが発生したときの大当たり図柄に関する情報，可変表示部５において発生した大当たりの図柄がラッキーナンバーであることを示す情報，可変入賞球装置１１が開放して第１の状態となったことに関する情報（大入賞口開放情報），特定遊技状態++の発生確率が向上している状態であることを表す確率変動中情報，始動口１０，１５に始動入賞したことを表わす特別図柄始動入賞情報，始動口１０，１５に始動入賞した打玉のうち有効に可変表示装置４を可変表示させるために用いられた有効始動入賞に関する情報である特別図柄有効始動情報，始動口１０，１５に入賞した打玉のうち可変表示装置４を可変表示させるために用いられることなく無効となった特別図柄無効始動情報，可変表示器２３に表示される普通図柄の可変表示開始のきっかけとなる通過口２４への打玉の入賞があった場合に、その旨を表わす普通図柄始動入賞情報，普通図柄始動入賞情報により通知される始動入賞のうち可変表示器２３を有効に可変表示させるのに用いられた有効始動入賞に関する情報である普通図柄有効始動入賞情報，可変表示器２３を可変表示させるのに用いられることなく無効となった始動入賞に関する情報である普通図柄無効始動入賞情報，可変入賞球装置１１への打玉の入賞個数に関する情報である大入賞口入賞情報，特定入賞領域（Ｖポケット）への打玉の入賞に関するＶ入賞情報，確率向上状態以外での通常状態において始動口１０，１５に入賞した打玉のうち可変表示装置４を有効に可変表示させるために用いられた有効始動入賞に関する情報である確率変動外有効始動情報，可変表示部５において、いわゆるリーチが成立していることを表わすリーチ情報などを送信する。情報入力端子７０は送信されてきたそれらの情報を管理装置６３に入力する。」（第１６櫛第３８行〜第１７欄第２３行）
が記載されている。
　同じく引用された刊行物３（特開昭６３一１６０６８５号公報．．．甲第３号証）には、
「また、遊技盤３の裏面には複数の入賞口１２，１３，１４の下部にそれぞれ入賞球検出スイッチとなる落入球検出スイッチＳ１，Ｓ２，Ｓ３がそれぞれ設けられ、入賞口１５の下部に入賞球検出スイッチとなる球検出スイッチＳ４が設けられ、入賞口１６，１６の下部には入賞球検出スイッチとなるＳ５，Ｓ５が設けられている。遊技盤３の裏面下方には複数の入賞口１２，１３，１４，１５，１６に入賞したセーフ球を図示しない入賞球誘導路を介して集合するセーフ球集合樋１７が設けられ、前記セーフ球集合樋１７の排出口１７ａの下部には入賞球検出スイッチとなるセーフ球検出スイッチＳ６が設けられている。」（第２頁右上欄第１８行〜左下欄第１１行）
が記載されている。
　同じく引用された刊行物４（特開平３−９４７８８号公報．．．甲第４号証）には、
「パチンコ遊技台２０にはセーフ孔１〜１４及びアウト孔１５が所定の位置に配設され、またセーフ孔１〜１４及びアウト孔１５にはこれらの孔をパチンコ玉が通過する際にそのパチンコ玉を検出してパチンコ玉検出信号を出力する検出装置５４，〜５４．５（第３図参照）が各々設けられていてこれらの検出装置５４１〜５４１５の出力信号がコントローラ２１に入力される。」（第３頁左上欄第７行〜第１４行）
が記載されている。
　同じく引用された刊行物５（特公昭５６一７７０９号公報．．．甲第５号証）には、
「このパチンコ機Ｐの裏面には、各セーフ孔Ｈ１〜Ｈ８毎に入賞球のあったことを検知する入賞球検出器（以下入賞球センサと称す）Ｓ１〜Ｓ８が設けられるとともに、各セーフ孔Ｈ１〜Ｈ８へ入賞したパチンコ球をガイドするパチンコ球ガイド部材ＰＧが配設される。」（第４欄第２７行〜第３２行）
が記載されている。
　同じく引用された刊行物６（特開平５−１８４７１１号公報．．．甲第６号証）には、
「【請求項１】パチンコ球の入賞などを検出する球検出装置において、バチンコ球の通過に対して一定の方向性を持つゲート型の検出器と、この検出器を所定方向から受け入れて着脱自在に支持する取付手段と、検出器の取付手段へのセット方向を規制するストッパ手段を備えたことを特徴とするパチンコ球検出器の取付構造。」（第１欄第２行〜第７行）、
「【従来の技術】遊技球の入賞をもとに賞球の排出および役物の動作を電子制御するようにしたパチンコ機において、遊技球の入賞を適確に検出するために諸種の球検出器（磁気センサ，光センサなど）が用いられるが、これら検出器の取付構造として交換作業などの容易化を図るうえで、遊技盤前面の入賞口からの遊技球を盤裏面側の集合樋へと導く球通路の途中で着脱自在に支持するようにしたものが知られている（特開平３一２９６７７号公報）。」（第１欄第４４行〜第２欄第２行）、
「始動入賞スイッチ９０は導出路８９両側の平面部にまたがって載置され、左右の係止フック９１により裏板５５に対して着脱容易に支持される。」（第６欄第３５行〜第３８行）が記載されている。
　同じく引用された刊行物７（実開平７一３３３８６号公報．．．甲第７号証）には、
「検出器１２は、図１乃至図３に示すように、偏平な薄型矩形状の検出器本体３０と、この検出器本体３０の前端から前方に突出するガイド枠３１とを有し、ガイド枠３１が遊技盤５から前方に突出するように、取り付け板３２を介して遊技盤５に前後方向に略水平に取り付けられている。」（第８頁第３行〜第６行）
が記載されている。
　同じく引用された刊行物８（特開平５一２６９２４１号公報．．．甲第８号証）には、
「【請求項１】　入賞球受部材と、該入賞球受部材に入賞した入賞球を検出する入賞球検出器とを備えた弾球遊技機の入賞球装置において、前記入賞球受部材は取付基板の前面側に形成され上部が解放され且つ下部が受部に形成された外壁と、該外壁の前端側に形成された前面壁とを有すると共に、前記外壁の側部に形成された弾性挟持片を有し、前記入賞球検出器は打球通過部と検出部とを有し、前記入賞球検出器の打球通過部が打球通過部の下端と外壁の受部との間に打球通路を形成した状態で前記入賞球受部材の外壁の両側部間に挿入され、前記入賞球検出器が入賞球受部材の弾性挟持片により着脱自在に取付けられるようになされている事を特徴とする弾球遊技機の入賞球装置。」（第１欄第２行〜第１４行）、
「【従来の技術】従来より種々の入賞球装置が提案されている。これらの入賞球装置の入賞球受部材は個々に遊技盤に取付けられ、これらの入賞球受部材に個々に入賞球検出器がねじ止め等の種々の取付手段を用いて取付けられるので、取付作業が煩雑で作業能率も悪く、部品が破損した場合の交換作業も容易でなかった。本出願人は先に、パチンコ機の通過玉検出器取付用カバー部材（実公昭５６−４８３０１号）を提案し、カバー体に通過玉検出器をワンタッチ操作で簡単且つ確実に装着させる事が出来るようした。」（第１欄第３７行〜第４６行）、
「【００１７】図９及び図１０には、本発明の第４実施例の概略が夫々示されており、この入賞球装置６１は遊技盤３に取付けられる横方向の長い取付基板６２を有し、この取付基板６２の前面側には複数個（本実施例では３個）の入賞球受部材６３、６４、６５が設けられ、該入賞球受部材６３、６４、６５に、前述せる第１実施例と同様に、入賞球検出器２１が着脱自在に取付けられている。」（第４欄第３１行〜第３８行）
が記載されている。
　同じく引用された刊行物９（特開平６−２３３８６３号公報．．．甲第９号証）には、
「通過口１３ａ，１３ｂにおける通過玉を検出する通過玉検出スイッチ１４ａ，１４ｂ」（第５欄第４５行〜第４６行）
が記載されている。
　同じく引用された刊行物１０（特開平６−７１０２０号公報．．．甲第１０号証）には、
「センターケース４の両側には、光電スイッチ、リミットスイッチ等により構成される球検知装置（図示せず）を備える普通図柄始動ゲート１３，１３が設けられている。」（第４欄第４１行〜第４４行）
が記載されている。
　同じく引用された刊行物１１（特開平８−２４３２２５号公報．．．甲第１１号証）には、
「遊技領域３内に打込まれた打玉が通過口１３に進入してその通過玉が通過玉検出器２２により検出されれば、その検出出力に基づいて普通図柄表示部２３が可変開始される。」（第３欄第４０行〜第４３行）
が記載されている。
　同じく引用された刊行物１２（特開平８−１９６６９１号公報．．．甲第１２号証）には、
「そして通過口３９には遊技球の通り道にスイッチとして、例えば遊技球の通過で変位する自動復帰型の機械式ＯＮ−ＯＦＦスイッチ、あるいは遊技球の通過による光の遮りを検出する無接点式の光検出ＯＮ−ＯＦＦスイッチ等が設置されており、遊技球の通過を検出すると役物２３の駆動を指令するようになっている。」（第６欄第２１行〜第２７行）
が記載されている。
　同じく引用された刊行物１３（特開平５−４９７２８号公報．．．甲第１３号証）には、
「【０００７】また、始動入賞装置４の左右には、本実施例の要部を構成する通過口装置２０ａ，２０ｂが配置され、該通過口装置２０ａ，２０ｂに打玉が入賞すると、可変入賞球装置５０に設けられる可変表示装置としての２つのドットＬＥＤ５５ａ，５５ｂが変動表示し、その表示結果が予め定められた表示結果となったときに、前記電動役物からなる始動入賞装置４が所定時間の開放動作を２回行う。このような動作を行うために、通過口装置２０ａ，２０ｂには、通過玉検出器４０ａ，４０ｂが内蔵され」（第２欄第４１行〜第５０行）
が記載されている。
　同じく引用された刊行物１４（特開昭５４−１２３３３５号公報．．．甲第１４号証）には、
「また、裏面パネルには、特別入賞孔６ａへの入賞球を検出する特別入賞球検出スイッチ２３ａと、セーフ孔６ｂ，６ｃへの入賞球を検出する入賞球検出スイッチ２３ｂ，２３ｃと、各ヤクモノ１７ａ〜１７ｅへの入賞球を検出する入賞球検出スイッチ２４ａ〜２４ｅとがそれぞれ対応する入賞孔への入賞球を検出し得る位置に関連的に設けられる。」（第５頁左上欄第１０行〜第１７行）
が記載されている。
３．対比・判断
（ａ）請求項１に係る発明と、上記刊行物１記載の発明を対比すると、
　上記刊行物１記載の発明の「始動入賞口３４、入賞口４２ａ，４２ｂ、通常の入賞口４８，４９ａ，４９ｂ」、「入賞玉」、「入賞玉処理装置１１５」、「景品玉」、「玉払出装置９７」、「景品玉払出制御基板１５２」、「遊技制御用マイクロコンピュータ２０２」、「入賞玉排出ソレノイド１２７に駆動信号を導出する払出制御用マイクロコンピュータ２２０」及び「玉払出装置のステッピングモター１８９に駆動信号を導出する払出制御用マイクロコンピュータ２２０」が、それぞれの機能に照らし、それぞれ、請求項１に係る発明の「複数個の入賞口」、「入賞球」「入賞球排出手段」、「景品球」、「景品球排出手段」、「排出制御手段」、「遊技制御手段」、「入賞球排出制御部」及び「景品球排出制御部」に相当し、
　上記刊行物１記載の発明の入賞玉処理装置１１５の入賞玉排出ソレノイド１２７は遊技盤の裏側で入賞玉を１個ずつ排出していることが、前記第１６欄第９〜２０行の記載、第４図より認められ、景品玉排出制御基板１５２は入賞玉に応じて入賞玉処理装置１１５及び玉払出装置を制御し、入賞玉排出ソレノイド１２７に駆動信号を導出する払出制御用マイクロコンピュータ２２０ は入賞玉を検出する毎に入賞玉処理装置１１５の排出動作を制御し、玉払出装置のステッピングモター１８９に駆動信号を導出する払出制御用マイクロコンピュータ２２０は入賞玉処理装置１１５が入賞玉を１個排出する毎に玉払出装置９７が規定数の景品球を排出するように玉払出装置９７の排出動作を制御していることが前記第１６欄第２１〜２９行の記載より認められるから、
　請求項１に係る発明と上記刊行物１記載の発明は、「遊技領域内に複数個の入賞口が配置された遊技盤と、前記入賞口に入賞した入賞球を遊技盤の裏側で１個づつ排出する入賞球排出手段と、景品球を排出する景品球排出手段と、入賞球に応じて前記入賞球排出手段及び前記景品球排出手段を制御する排出制御手段と、主に遊技盤側に係わる遊技動作を制御する遊技制御手段とを備え、前記排出制御手段は、入賞球を検出する毎に前記入賞球排出手段の排出動作を制御する入賞球排出制御部と、前記入賞球排出手段が入賞球を１個排出する毎に前記景品球排出手段が規定数の景品球を排出するように該景品球排出手段の排出動作を制御する景品球排出制御部とを備えた弾球遊技機」である点で一致し、
　各入賞口に入賞した入賞球を検出する入賞球検出スイッチを、請求項１に係る発明では、遊技領域内の全ての入賞口に夫々対応して設けてあるのに対して、上記刊行物１記載の発明は、複数個の入賞口である始動入賞口３４、可変入賞球装置３５、入賞口４９ａ、４９ｂは各入賞口に対応して、請求項１に係る発明の入賞球検出スイッチに相当する始動入賞玉検出器４６、特定入賞玉検出器３８及び通常入賞玉検出器３９ａ，３９ｂ、入賞玉検出スイッチ４１ｃ、４１ｄを設けているが、通常の入賞口４８に対応した入賞球検出スイッチは設けられておらず、通常の入賞口４２ａ、４２ｂに入賞した玉と一緒に入賞玉検出スイッチ４１ａ、４１ｂで検出され、入賞球検出スイッチを全ての入賞口に夫々対応して設けてあるとはいえない点（相違点１）、
　請求項１に係る発明は、入賞球検出スイッチを遊技盤の裏側から着脱自在に備えているのに対して、上記刊行物１記載の発明は、その点について記載がない点（相違点２）、
　請求項１に係る発明は、全ての入賞口の入賞球検出スイッチからの入賞球情報を外部に取り出し得る入賞球情報出力部を設けたのに対して、上記刊行物１記載の発明は、その点について記載がない点（相違点３）で相違している。
　上記相違点１について検討する。
　入賞球検出スイッチを、遊技領域内の全ての入賞口に夫々対応して設けることは、前記刊行物３，４，５，１４に記載されているように弾球遊技機の入賞球検出スイッチにおいて従来から周知の技術（更に必要ならば、特公平４−１２１５８号公報、特公平８−２９１８１号公報参照）であり、上記刊行物１記載の発明に上記従来周知の技術を適用して、上記刊行物１記載の発明の通常の入賞口４８にも入賞球検出スイッチを設け、本件請求項１に係る発明のように入賞球検出スイッチを全ての入賞口に夫々対応して設けるように構成することは当業者にとって格別困難ではない。
　上記相違点２について検討する。
　入賞球検出スイッチを遊技盤の裏側から着脱自在に備えることは、前記刊行物６〜８に記載されているように弾球遊技機の入賞球検出スイッチにおいて従来から周知の技術であり、請求項１に係る発明の入賞球検出スイッチに相当する刊行物１記載の発明の入賞玉検出器及び入賞玉検出スイッチを本件請求項１に係る発明のように遊技盤の裏側から着脱自在に設けることは当業者にとって格別困難ではない。
　上記相違点３について検討する。
　上記刊行物２をみるに、前記摘示の記載及び第１１〜１３、２２，２３図によれば、刊行物２には、始動口１０，１５、大入賞口、Ｖポケット、権利入賞口３３２、大入賞口用始動口３１４、普通図柄用始動口３０４に対応してそれぞれ、始動玉検出器２６，２９、入賞玉検出器２８、特定玉検出器２７、権利入賞玉検出スイッチ３３２、大入賞口用始動入賞玉検出スイッチ３１５、始動入賞玉検出器３０５が設けられ、それらの検出器及びスイッチからの特別図柄始動入賞情報、大入賞口入賞情報、Ｖ入賞情報、権利発生中情報、特別装置（３３２）入賞情報、普通電役（３０６）入賞情報等の入賞情報を、遊技制御基板５４ａに設けられている始動入賞情報発信制御手段７３が、情報出力端子６２を介して管理装置６３に送信する発明が記載されている。
　請求項１に係る発明と、上記刊行物２記載の発明と対比すると、上記刊行物２記載の発明の「特別図柄始動入賞情報、大入賞口入賞情報、Ｖ入賞情報、権利発生中情報、特別装置入賞情報、普通電役入賞情報」、「始動入賞検知手段」、「管理装置」、「始動入賞情報発信制御手段」が、それぞれ、請求項１に係る発明の「入賞情報」、「入賞球検出スイッチ」、「外部」、「入賞球情報出力部」に相当するので、請求項１に係る発明の上記相違点３に係る構成と、刊行物２記載の発明は、入賞口の入賞球検出スイッチからの入賞球情報を外部に取り出し得る入賞球情報出力部を設けた点で一致し、該入賞情報が請求項１に係る発明では、全ての入賞球検出スイッチからのものであるのに対して、刊行物２記載の発明の入賞情報は、いずれも、始動入賞検知手段からの特別図柄始動入賞情報、大入賞口入賞情報、Ｖ入賞情報、権利発生中情報、特別装置入賞情報、普通電役入賞情報等の始動入賞情報であって、始動入賞情報以外の入賞情報を外部に取り出すか否かについては記載がなく、全ての入賞球検出スイッチからのものとは言えない点で一応相違する。しかしながら、入賞口の入賞球検出スイッチからの入賞球情報をどこまで外部に送信するかは必要に応じて当業者が適宜選択する設計事項にすぎない。（なお、複数の入賞口のそれぞれに対応した入賞検出スイッチからの入賞情報を全て外部に送信するもの（例えば特開平７−８０１４５号公報参照）も、始動入賞情報以外の入賞球情報をも外部に取り出すもの（例えば特開平８−８１２号公報参照）も、入賞情報を全て外部に送信するもの（例えば特開平４−５１９７９号公報、特開平２−２７９１８６号公報参照）も従来から周知である）。
  したがって上記刊行物１記載の発明に刊行物２記載の発明の入賞球情報出力部を適用して、本件請求項１に係る発明のように構成することは当業者にとって格別困難ではない。
  そして、請求項１に係る発明は、その全体の構成によっても刊行物１、２記載の発明ならびに前記従来周知の技術的事項から予測し得ない効果が期待できるものではないから、刊行物１、２記載の発明ならびに前記従来周知の技術的事項から当業者が容易に想到することができたものである。
（ｂ）請求項２に係る発明と、上記刊行物１記載の発明を対比すると、
　刊行物１記載の前記第６欄第４行〜第１３行の記載によれば、始動入賞口への入賞による景品玉が５個、通常の入賞口４２ａ，４２ｂ、４８、４９ａ、４９ｂへの入賞による景品玉が１０個であるから、刊行物１記載の発明には、複数個の入賞口の内、一部の入賞口への入賞による景品球が、他の入賞口への入賞による景品球と異なる点が記載されていると言える。したがって、請求項２に係る発明と、上記刊行物１記載の発明とは「遊技領域内に複数個の入賞口が配置された遊技盤と、前記入賞口に入賞した入賞球を遊技盤の裏側で１個づつ排出する入賞球排出手段と、景品球を排出する景品球排出手段と、入賞球に応じて前記入賞球排出手段及び前記景品球排出手段を制御する排出制御手段と、主に遊技盤側に係わる遊技動作を制御する遊技制御手段とを備え、前記排出制御手段は、入賞球を検出する毎に前記入賞球排出手段の排出動作を制御する入賞球排出制御部と、前記入賞球排出手段が入賞球を１個排出する毎に前記景品球排出手段が規定数の景品球を排出するように該景品球排出手段の排出動作を制御する景品球排出制御部とを備え、複数個の入賞口の内、一部の入賞口への入賞による景品球が、他の入賞口への入賞による景品球と異なる弾球遊技機」である点で一致し、上記請求項１に係る発明における相違点１、２、３の他には、相違点を有しない。相違点１、２、３についての判断は請求項１に係る発明で記載したとおりであり、請求項２に係る発明は、その全体の構成によっても刊行物１、２記載の発明ならびに前記従来周知の技術的事項から予測し得ない効果が期待できるものではないから、刊行物１、２記載の発明ならびに前記従来周知の技術的事項から当業者が容易に想到することができたものである。
（ｃ）請求項３に係る発明と、上記刊行物１記載の発明を対比すると、
　上記請求項１ないし２に係る発明における相違点の他に、請求項３に係る発明は、遊技領域に配置された全ての遊技球通過用のゲート(41)又は通過口(47)に、遊技球の通過を検出する通過球検出スイッチ(57)(73)を設けたのに対し、上記刊行物１記載の発明は、遊技球通過用のゲート又は通過口について記載がない点で相違している。（相違点４）
上記相違点４について検討する。
　刊行物２の前記第５欄第３２行〜３４行の記載によれば、刊行物２には遊技領域３に通過口１３が設けられ、打玉が通過口１３を通過すると、その旨が通過玉検出器３０により検出される点が、第１７欄第１７行〜１８行の記載によれば、通過口２４にも検出器が設けられていると認められ、他に通過用のゲート又は通過口は存在しないので、刊行物２には、遊技領域に配置された全ての遊技球通過用のゲート又は通過口に、遊技球の通過を検出する通過球検出スイッチを設けた点が記載されていると認められる。なお、遊技領域に配置された全ての遊技球通過用のゲート又は通過口に、遊技球の通過を検出する通過球検出スイッチを設けたものは、刊行物９〜１３にも記載があるように従来から周知の技術であり、この刊行物２、９〜１３記載の従来から周知の技術を上記刊行物１記載の発明に適用することは当業者にとって格別困難とはいえず、該相違点４の構成を採用することによって請求項３に係る発明が格別な効果を奏するようになったとはいえない。
（ｄ）請求項４に係る発明と、上記刊行物１記載の発明を対比すると、
　上記請求項１ないし３に係る発明における相違点の他に、請求項４に係る発明は、前記通過球検出スイッチ(57)(73)からの通過球情報を出力する通過球情報出力部(81)を設けたのに対し、上記刊行物１記載の発明は、その点について記載がない点で相違している。（相違点５）
　上記相違点５について検討する。
　上記刊行物２の前記第５欄第３２行〜３４行の記載及び第１７欄第１７行〜１８行の記載によれば、刊行物２には、遊技制御基板５４ａが通過口２４への入賞がある旨を表す普通図柄始動入賞情報を管理装置に送信する点が記載されている。刊行物２記載の発明の「遊技制御基板」および「普通図柄始動入賞情報」は、請求項４に係る発明の「通過球情報出力部」および「通過球検出スイッチからの通過球情報」に相当するので、上記刊行物２には、通過球検出スイッチからの通過球情報を出力する通過球情報出力部を設けた点が記載されているといえ、刊行物２記載の発明を上記刊行物１記載の発明に採用することは当業者にとって格別困難とはいえず、該相違点５の構成を採用することによって請求項４に係る発明が格別な効果を奏するようになったとはいえない。
（ｅ）請求項５に係る発明と、上記刊行物１記載の発明と対比すると、
　上記請求項１ないし４に係る発明における相違点の他に、請求項５に係る発明は、前記遊技制御手段(28)からの遊技情報を出力する遊技情報出力部(82)を設けているのに対し、上記刊行物１記載の発明は、その点について記載がない点で相違している。（相違点６）
　上記相違点６について検討する。
　上記刊行物２記載の発明の「遊特定遊技状態の発生確率の設定値情報，可変表示部５において大当たりが発生した場合の特別図柄大当り情報（特定遊技状態の発生情報），その大当りが発生したときの大当たり図柄に関する情報，可変表示部５において発生した大当たりの図柄がラッキーナンバーであることを示す情報，可変入賞球装置１１が開放して第１の状態となったことに関する情報（大入賞口開放情報），特定遊技状態の発生確率が向上している状態であることを表す確率変動中情報，始動口１０，１５に始動入賞したことを表わす特別図柄始動入賞情報，始動口１０，１５に始動入賞した打玉のうち有効に可変表示装置４を可変表示させるために用いられた有効始動入賞に関する情報である特別図柄有効始動情報，始動口１０，１５に入賞した打玉のうち可変表示装置４を可変表示させるために用いられることなく無効となった特別図柄無効始動情報，可変表示器２３に表示される普通図柄の可変表示開始のきっかけとなる通過口２４への打玉の入賞があった場合に、その旨を表わす普通図柄始動入賞情報，普通図柄始動入賞情報により通知される始動入賞のうち可変表示器２３を有効に可変表示させるのに用いられた有効始動入賞に関する情報である普通図柄有効始動入賞情報，可変表示器２３を可変表示させるのに用いられることなく無効となった始動入賞に関する情報である普通図柄無効始動入賞情報，可変入賞球装置１１への打玉の入賞個数に関する情報である大入賞口入賞情報，特定入賞領域（Ｖポケット）への打玉の入賞に関するＶ入賞情報，確率向上状態以外での通常状態において始動口１０，１５に入賞した打玉のうち可変表示装置４を有効に可変表示させるために用いられた有効始動入賞に関する情報である確率変動外有効始動情報，可変表示部５において、いわゆるリーチが成立していることを表わすリーチ情報」（第１６欄第３８行〜第１７欄第２３行）は請求項５に係る発明の「遊技制御手段からの遊技情報」に刊行物２記載の発明の「遊技制御基板５４ａ」は請求項５に係る発明の「遊技情報出力部」に相当するものと認められるので、上記刊行物２記載の発明には、遊技制御手段からの遊技情報を出力する遊技情報出力部を設けた点が記載されていると言える。そして、弾球遊技機の技術分野において、遊技状態を把握するために遊技情報を外部に出力することは従来から周知の事項であり、刊行物２記載の発明を上記刊行物１記載の発明に採用することは当業者にとって格別困難とはいえず、これらの点を採用することによって請求項５に係る発明が格別な効果を奏するようになったとはいえない。 
（３）むすび
　以上のとおりであるから、本件請求項１〜５に係る発明の特許は、特許法第２９条第２項の規定に違反してされたものであるので、特許法第１１３条第２項に該当し、取り消されるべきものである。
  よって、結論のとおり決定する。
【異議決定日】
平成１３年１０月３１日（２００１．１０．３１）
【訂正の要旨】
　訂正の内容
訂正事項ａ
特許請求の範囲の請求項１の第１３〜１４行目の「賞品球排出制御部（７９）」を、「景品球排出制御部（７９）」と訂正する。
訂正事項ｂ
特許請求の範囲の請求項１の第１４行目の「備えた」を、「備え、更に、全ての前記入賞口（４３）（５１）（６０）（６５）（６６）（７０）の前記入賞球検出スイッチ（５５）（５６）（６３）（６４）（６７）（６８）（７１）からの入賞球情報を外部に取り出し得る入賞球情報出力部（８０）を設けた」と訂正する。
訂正事項ｃ
特許請求の範囲の請求項４の第１〜２行目の「前記入賞球検出スイッチ（５５）（５６）（６３）（６４）（６７）（６８）（７１）からの入賞球情報を出力する入賞球情報出力部（８０）を設けた」を、「前記通過球検出スイッチ（５７）（７３）からの通過球情報を出力する通過球情報出力部（８１）を設けた」と訂正する。
訂正事項ｄ
特許請求の範囲の請求項５の第１〜２行目の「前記通過球検出スイッチ（５７）（７３）からの通過球情報を出力する通過球情報出力部（８１）を設けた」を、「前記遊技制御手段（２８）からの遊技情報を出力する遊技情報出力部（８２）を設けた」と訂正する。
訂正事項ｅ
特許請求の範囲の請求項６を削除する。
訂正事項ｆ
明細書の段落００１０の第１３行目の「賞品球排出制御部７９」を、「景品球排出制御部７９」と訂正する。
訂正事項ｇ
明細書の段落００１０の第１４行目の「備えた」を、「備え、更に、全ての前記入賞口４３，５１，６０，６５，６６，７０の前記入賞球検出スイッチ５５，５６，６３，６４，６７，６８，７１からの入賞球情報を外部に取り出し得る入賞球情報出力部８０を設けた」と訂正する。
訂正事項ｈ
明細書の段落００４４の第１３行目の「賞品球排出制御部７９」を、「景品球排出制御部７９」と訂正する。
訂正事項ｉ
明細書の段落００４４の第１３行目の「備えているので」を、「備え、更に、全ての前記入賞口４３，５１，６０，６５，６６，７０の前記入賞球検出スイッチ５５，５６，６３，６４，６７，６８，７１からの入賞球情報を外部に取り出し得る入賞球情報出力部８０を設けているので」と訂正する。
訂正事項ｊ
明細書の段落００４７を削除する。
（５４）【発明の名称】
弾球遊技機
（５７）【特許請求の範囲】
　【請求項１】　遊技領域（３７）内に複数個の入賞口（４３）（５１）（６０）（６５）（６６）（７０）が配置された遊技盤（７）と、前記入賞口（４３）（５１）（６０）（６５）（６６）（７０）に入賞した入賞球を遊技盤（７）の裏側で１個づつ排出する入賞球排出手段（３２）と、景品球を排出する景品球排出手段（１８）と、入賞球に応じて前記入賞球排出手段（３２）及び前記景品球排出手段（１８）を制御する排出制御手段（７７）と、主に遊技盤（７）側に係わる遊技動作を制御する遊技制御手段（２８）とを備え、各入賞口（４３）（５１）（６０）（６５）（６６）（７０）に入賞した入賞球を検出する入賞球検出スイッチ（５５）（５６）（６３）（６４）（６７）（６８）（７１）を、前記遊技領域（３７）内の全ての入賞口（４３）（５１）（６０）（６５）（６６）（７０）に夫々対応して設け、該各入賞球検出スイッチ（５５）（５６）（６３）（６４）（６７）（６８）（７１）を遊技盤（７）の裏側から着脱自在に備え、前記排出制御手段（７７）は、入賞球を検出する毎に前記入賞球排出手段（３２）の排出動作を制御する入賞球排出制御部（７８）と、前記入賞球排出手段（３２）が入賞球を１個排出する毎に前記景品球排出手段（１８）が規定数の景品球を排出するように該景品球排出手段（１８）の排出動作を制御する
景品球排出制御部（７９）
備え、更に、全ての前記入賞口（４３）（５１）（６０）（６５）（６６）（７０）の前記入賞球検出スイッチ（５５）（５６）（６３）（６４）（６７）（６８）（７１）からの入賞球情報を外部に取り出し得る入賞球情報出力部（８０）を設けた
　【請求項２】　前記複数個の入賞口（４３）（５１）（６０）（６５）（６６）（７０）の内、一部の入賞口（６０）への入賞による景品球が、他の入賞口（４３）（５１）（６５）（６６）（７０）への入賞による景品球と異なることを特徴とする請求項１に記載の弾球遊技機。
　【請求項３】　前記遊技領域（３７）に配置された全ての遊技球通過用のゲート（４１）又は通過口（４７）に、遊技球の通過を検出する通過球検出スイッチ（５７）（７３）を設けたことを特徴とする請求項１又は２に記載の弾球遊技機。
　【請求項４】　
前記通過球検出スイッチ（５７）（７３）からの通過球情報を出力する通過球情報出力部（８１）を設けた
　【請求項５】　
前記遊技制御手段（２８）からの遊技情報を出力する遊技情報出力部（８２）を設けた
【発明の詳細な説明】
　【０００１】
　【発明の属する技術分野】
　本発明は、パチンコ機、アレンジボール機、雀球機等の弾球遊技機に関するものである。
　【０００２】
　【従来の技術】
　パチンコ機等の弾球遊技機では、遊技盤の遊技領域に、入賞口を有する複数個の入賞手段を配置しているが、その複数個の入賞手段の内、一部の入賞手段に入賞球検出スイッチを設けただけであり、全ての入賞手段に入賞球検出スイッチを設けてはいない。
　【０００３】
　即ち、遊技領域に配置された複数個の入賞手段には、遊技球が入賞口に入賞した時に、その入賞球を遊技盤の裏側の入賞球タンク側に誘導するだけの所謂普通入賞手段と、入賞口に遊技球が入賞した時に図柄表示手段の表示図柄を変動させる等、その他の機能を兼用する入賞手段とがあり、それらの各入賞手段を遊技盤の所定の位置に夫々配置している。そして、他の機能を有する入賞手段には入賞球検出スイッチを設けているが、単なる入賞手段としての役割しかない普通入賞手段には入賞球検出スイッチは設けていない。
　【０００４】
　これは、各入賞手段に入賞した入賞球を入賞球タンクに集めた後、その入賞球を１個づつ検出して入賞球排出手段により排出しながら、この入賞球排出手段の排出動作に連動して、入賞球１個に付き規定数の景品球を景品球排出手段により排出するようにしているため、普通入賞手段に入賞した入賞球と他の入賞手段に入賞した入賞球とを区別する必要がないためである。
　【０００５】
　【発明が解決しようとする課題】
　従来の弾球遊技機では、普通入賞手段には入賞球検出スイッチを設けていないので、遊技盤の組み立てた後にメーカー側で検査する場合、或いは検定機関等での検定に際して検査する場合に、入賞球検出スイッチのある入賞手段と、入賞球検出スイッチのない入賞手段とを同じ検査方法で検査できず、検査が煩雑になる欠点がある。
　【０００６】
　つまり、入賞球検出スイッチのある入賞手段の場合には、入賞球検出スイッチが正常に作動するか否かを検査すれば、その入賞手段自体の良否の殆どを容易に判断することが可能である。しかし、入賞球検出スイッチのない入賞手段の場合には、その入賞口に遊技球を直接入れる等の方法で検査する必要がある。
　【０００７】
　また組み立て後のメーカーでの検査、或いは検定機関での検査において、実際に遊技球を発射させながら各入賞手段への遊技球の入賞状況を確認し、そのデーターを取る場合にも、入賞球検出スイッチのない入賞手段には別に検出スイッチを設ける等の方策を講じない限り、そのデーター取りが不可能である。
　【０００８】
　更に弾球遊技機を遊技店に設置した後、遊技店側で各弾球遊技機の入賞球情報、遊技情報をコンピュータ等の集中管理装置側に取り出して、この集中管理装置により各弾球遊技機の稼働状況、入賞状況等を把握しながら管理する方法を採っている。しかし、従来の弾球遊技機では、遊技盤の遊技領域内の全ての入賞手段からの入賞球情報を取り出し得ないので、このような集中管理方法を採用するに当たっても、全ての入賞手段の入賞球情報を把握できない欠点がある。
　【０００９】
　本発明は、このような従来の課題に鑑み、遊技盤側の各遊技部品を検査するに際して遊技領域内の全ての入賞口を容易に検査でき、また遊技店でも容易に管理できる弾球遊技機を提供することを目的とする。
　【００１０】
　【課題を解決するための手段】
　本発明は、遊技領域３７内に複数個の入賞口４３，５１，６０，６５，６６，７０が配置された遊技盤７と、前記入賞口４３，５１，６０，６５，６６，７０に入賞した入賞球を遊技盤７の裏側で１個づつ排出する入賞球排出手段３２と、景品球を排出する景品球排出手段１８と、入賞球に応じて前記入賞球排出手段３２及び前記景品球排出手段１８を制御する排出制御手段７７と、主に遊技盤７側に係わる遊技動作を制御する遊技制御手段２８とを備え、各入賞口４３，５１，６０，６５，６６，７０に入賞した入賞球を検出する入賞球検出スイッチ５５，５６，６３，６４，６７，６８，７１を、前記遊技領域３７内の全ての入賞口４３，５１，６０，６５，６６，７０に夫々対応して設け、該各入賞球検出スイッチ５５，５６，６３，６４，６７，６８，７１を遊技盤７の裏側から着脱自在に備え、前記排出制御手段７７は、入賞球を検出する毎に前記入賞球排出手段３２の排出動作を制御する入賞球排出制御部７８と、前記入賞球排出手段３２が入賞球を１個排出する毎に前記景品球排出手段１８が規定数の景品球を排出するように該景品球排出手段１８の排出動作を制御する
景品球排出制御部７９
備え、更に、全ての前記入賞口４３，５１，６０，６５，６６，７０の前記入賞球検出スイッチ５５，５６，６３，６４，６７，６８，７１からの入賞球情報を外部に取り出し得る入賞球情報出力部８０を設けた
　【００１１】
　【発明の実施の形態】
　以下、本発明の実施形態を図面に基づいて詳述する。図１は遊技店の島１に弾球遊技機２とカード式の球貸し機３とを交互に装着した状態を例示し、図２はその弾球遊技機２の裏側を示す。
　【００１２】
　弾球遊技機２は、図１及び図２に示すように、矩形枠状に構成された外枠４と、この外枠４の前側に開閉自在に枢着された前枠５とを備え、その外枠４が島１側に着脱自在に固定されている。前枠５には、その窓孔６に対応して遊技盤７が裏側から着脱自在に装着され、この遊技盤７の前側にガラス扉８と前面板９とが開閉自在に上下に配置されている。前面板９には、発射用の遊技球を貯留する上皿１０が装着されている。前枠５の下部には、余剰球を貯留する下皿１１と、発射手段１２の発射ハンドル１３とが夫々設けられている。
　【００１３】
　前枠５の裏側には、図２に示す如く、遊技盤７を押さえるように裏機構板１４が開閉自在に装着されている。裏機構板１４には開口部１５が形成され、その上側に遊技球タンク１６、タンクレール１７が、左右一側に景品球排出手段１８が、下側に通路ユニット１９等が夫々設けられている。
　【００１４】
　景品球排出手段１８は、排出ケース２０内で回転する回転体２１と、この回転体２１を駆動する排出モータ２２とを備え、景品球排出指令があった時に排出モータ２２が回転体２１を駆動して、その回転体２１の回転により遊技球タンク１６内の遊技球を景品球として上皿１０側に排出するようになっている。なお、景品球排出手段１８は、回転体２１の回転角度に応じて任意の個数の景品球を排出可能である。通路ユニット１９は景品球排出手段１８からの景品球を上皿１０側へと案内し、上皿１０内の景品球が満杯状態の時に、後続の景品球を下皿１１側へと溢流させるようになっている。
　【００１５】
　開口部１５には、遊技盤７の裏側に上下に近接して装着された裏カバー２３と入賞球タンク２４とが嵌合されている。裏カバー２３には、基板ケース２５に収納された遊技制御基板２６と、外部情報取り出し用の外部情報取り出し基板２７とが裏側に設けられている。遊技制御基板２６には、主として遊技盤７側の各遊技部品による遊技動作を司るＲＯＭ、ＲＡＭ、ＣＰＵ等の遊技制御手段２８（図１１参照）が実装されている。
　【００１６】
　入賞球タンク２４は、後述の入賞口から遊技盤７の裏側に案内された入賞球を集めるもので、裏カバー２３の下側で遊技盤７の裏側に装着されている。入賞球タンク２４は、図４に示すように入賞球を貯留する入賞球貯留部２９と、この入賞球貯留部２９の下側に排出通路３０を介して接続された排出口３１とを備え、その排出口３１に、入賞球タンク２４内の入賞球を１個づつ排出する入賞球排出手段３２が設けられている。
　【００１７】
　入賞球排出手段３２は、図４に示すように排出口３１から排出すべき入賞球を検出する検出スイッチ３３と、排出通路３０からの入賞球を排出口３１から１個づつ下方に排出する排出具３４と、検出スイッチ３３が入賞球を検出する毎に排出具３４を駆動するソレノイド３５とを備えている。
　【００１８】
　遊技盤７には、図３に示すように、ガイドレール３６が環状に装着されると共に、そのガイドレール３６の内側の遊技領域３７に液晶表示手段３８、始動用の可変式入賞手段３９、大入賞手段４０、始動ゲート４１、普通入賞手段４２等が配置されている。
　【００１９】
　液晶表示手段３８は、遊技者に対して通常の遊技画像等の遊技情報を表示する他、変動図柄を表示する第２図柄表示手段３８ａを兼用している。第２図柄表示手段３８ａは複数個（例えば左右方向に３個）の図柄表示部を備え、可変式入賞手段３９に遊技球が入賞した時に、各図柄表示部の表示図柄が所定時間だけ変動するように構成されている。
　【００２０】
　液晶表示手段３８の表示ケース４６には、図５〜図７に示すように、その上部に普通入賞口４３と第１図柄表示手段４４が、下部に遊技球の落下ステージ４５が、左右両側部に通過口４７が夫々設けられている。普通入賞口４３は、遊技球が入賞した時にその入賞球を遊技盤７の裏側に誘導し、遊技盤７の裏側の集合通路４８を介して入賞球タンク２４に案内するように構成されている。集合通路４８には、普通入賞口４３に入賞した入賞球を検出する入賞球検出スイッチ５６が設けられている。
　【００２１】
　第１図柄表示手段４４は１個の図柄表示部を有し、始動ゲート４１が遊技球の通過を検出した時に図柄表示部の表示図柄が所定時間変動動作を行うようになっている。通過口４７は、表示ケース４６の左右両側の上部に開口する入口４９と、落下ステージ４５側に開口する出口５０とを有し、この入口４９と出口５０とを接続するように上下方向に設けられている。通過口４７の上下方向の中途部には、この通過口４７を通過する遊技球を検出する通過球検出スイッチ５７が設けられている。
　【００２２】
　可変式入賞手段３９は、図８に示すように、遊技球が入賞する入賞口５１と、この入賞口５１側に開閉自在に枢支された左右一対の開閉爪５２と、この開閉爪５２を開閉駆動するソレノイド５３とを備え、第１図柄表示手段４４の変動後の停止図柄が当たり図柄を表示した時に、ソレノイド５３が励磁して開閉爪５２が所定時間開放するようになっている。
　【００２３】
　可変式入賞手段３９の入賞口５１は、入賞球を入賞球タンク２４に案内するように遊技盤７の裏側の集合通路５４に連通され、その集合通路５４に入賞球検出スイッチ５５が設けられている。なお、可変式入賞手段３９は所謂チューリップ式であって、開閉爪５２が起立した閉状態の時にも、その開閉爪５２間を遊技球が１個入賞し得る程度の間隔に設定されている。
　【００２４】
　大入賞手段４０は、図９に示すように入賞ケース５９と、この入賞ケース５９に形成された横長矩形状の大入賞口６０と、開放時に前上がり状に傾斜して遊技球を大入賞口６０側に誘導するように大入賞口６０を開閉する開閉板６１と、第２図柄表示手段３８ａの変動後の停止図柄が「７・７・７」等の大当たり図柄の時に開閉板６１を開方向に駆動するソレノイド６２と、大入賞口６０内の特定領域を通過する入賞球を検出する特定領域用の入賞球検出スイッチ６３と、大入賞口６０に入賞した入賞球を検出する計数用の入賞球検出スイッチ６４とを備えている。特定領域には、大入賞口６０内を複数通路に分割（例えば３分割）して、その複数通路の内の１個の通路（例えば中央の通路）が使用されている。
　【００２５】
　なお、大入賞手段４０は、開放後に所定時間が経過した時、又は計数用の入賞球検出スイッチ６４が所定数（例えば１０個）の入賞球を検出した時にソレノイド６２が消磁して開閉板６１が閉じるようになっている。また大入賞手段４０は、特定領域用の入賞球検出スイッチ６３が入賞球を検出した時には、開放動作の終了後に再度開閉板６１が大入賞口６０を開放し、最大所定回数（例えば１６回）まで繰り返すようになっている。
　【００２６】
　大入賞手段４０の入賞ケース５９には、図８及び図１０に示すように、大入賞口６０の左右両側に１個又は複数個（例えば２個）の普通入賞口６５，６６と、この各普通入賞口６５，６６に入賞した入賞球を検出する入賞球検出スイッチ６７，６８とが設けられている。各普通入賞口６５，６６は、遊技球が入賞した時にその入賞球を遊技盤７の裏側に誘導し、直接又は集合通路６９を介して入賞球タンク２４に案内するように構成されている。
　【００２７】
　普通入賞手段４２は、図１０に示すように、遊技球が入賞する普通入賞口７０と、入賞球を検出する入賞球検出スイッチ７１とを有し、その普通入賞口７０が集合通路６９を介して入賞球タンク２４に入賞球を案内するように接続されている。始動ゲート４１は、図７に示すように、遊技盤７の前側で遊技球が上下方向に通過する通過孔７２と、この通過孔７２を通過する遊技球を検出する通過球検出スイッチ７３とを備えている。
　【００２８】
　従って、遊技盤７の遊技領域３７には、大入賞手段４０、その他の入賞手段を合わせて複数個の入賞口４３，５１，６０，６５，６６，７０が配置され、その各入賞口４３，５１，６０，６５，６６，７０に入賞した入賞球を検出する入賞球検出スイッチ５５，５６，６３，６４，６７，６８，７１が、遊技領域３７内の全ての入賞口４３，５１，６０，６５，６６，７０に夫々対応して設けられている。また遊技領域３７に配置された全ての始動ゲート４１及び通過口４７にも、遊技球の通過を検出する通過球検出スイッチ５７，７３が設けられている。
　【００２９】
　集合通路４８，５４，６９は集合板８５に一体に形成され、遊技盤７の裏側に装着されている。各入賞球検出スイッチ５５，５６，６３，６４，６７，６８，７１及び通過球検出スイッチ５７，７３は、遊技盤７の裏側等から着脱自在になっている。
　【００３０】
　図１１は弾球遊技機２の制御系を示し、遊技制御手段２８には始動ゲート４１の通過球検出スイッチ７３、可変式入賞手段３９の入賞球検出スイッチ５５、大入賞手段４０の入賞球検出スイッチ６３，６４、通過口４７の通過球検出スイッチ５７等の全てのスイッチ類が接続されている。遊技制御手段２８は、通過球検出スイッチ７３が始動ゲート４１の通過球を検出した時に第１図柄表示手段４４を所定時間変動させる制御機能、第１図柄表示手段４４の停止図柄が当たり図柄の時に可変式入賞手段３９の開閉爪５２を開放させる制御機能、入賞球検出スイッチ５５が可変式入賞手段３９の入賞球を検出した時に第２図柄表示手段３８ａを所定時間変動させる制御機能、第２図柄表示手段３８ａの停止図柄が大当たり図柄の時に大入賞手段４０を開放させる制御機能、大入賞手段４０の入賞球数が所定個数になれば大入賞手段４０を閉じる開閉制御機能等を有し、主として遊技盤７側の遊技動作の制御を司るようになっている。
　【００３１】
　排出制御手段７７は、景品球排出手段１８、入賞球排出手段３２等に接続されており、検出スイッチ３３が入賞球タンク２４内の入賞球を検出する毎に、そのソレノイド３５を励磁して景品球排出手段１８の排出動作を制御する入賞球排出制御部７８と、この入賞球排出手段３２が入賞球を１個排出する毎に、その排出動作に同期して景品球排出手段１８が規定数の景品球を上皿１０に排出するように制御する景品球排出制御部７９とを備えている。なお、排出制御手段７７は、図２に示すように排出制御基板８３に実装した状態でケース８４に収納され、そのケース８４は裏機構板１４の下部に裏側から着脱自在に装着されている。
　【００３２】
　景品球排出制御部７９は、可変式入賞手段３９等に遊技球が入賞した時に入賞球１個に対して６個の景品球を、大入賞手段４０に遊技球が入賞した時に入賞球１個に対して１５個の景品球を景品球排出手段１８が夫々排出するように制御する排出機能を有する。つまり、景品球排出制御部７９は、大入賞手段４０の入賞球検出スイッチ６４が入賞球を検出した時の入賞球個数を記憶し、この大入賞手段４０に遊技球が入賞する毎に、入賞球排出手段３２の排出動作に連動して景品球排出手段１８が１５個の景品球を優先的に排出し、また可変式入賞手段３９、その他に遊技球が入賞した時には景品球１個に対して６個の景品球を景品球排出手段１８が夫々排出すべく制御するようになっている。
　【００３３】
　外部情報取り出し基板２７には、入賞球情報出力部８０と通過球情報出力部８１と遊技情報出力部８２とが設けられている。入賞球情報出力部８０は、大入賞手段４０、その他の各入賞手段３９，４０，４２等の入賞球検出スイッチ５５，５６，６３，６４，６７，６８，７１に遊技制御手段２８を介して接続されており、各入賞手段３９，４０，４２等毎にその入賞球情報（入賞球個数の情報）を外部に取り出し得るようになっている。
　【００３４】
　通過球情報出力部８１は、各始動ゲート４１及び通過口４７の通過球検出スイッチ５７，７３に遊技制御手段２８を介して接続されており、各始動ゲート４１及び通過口４７毎にその通過球情報（通過球個数の情報）を外部に取り出し得るようになっている。遊技情報出力部８２は、遊技盤７側での遊技動作に伴う第１図柄の変動回数情報、第２図柄の変動回数情報、大当たり情報、確率変動情報、その他の遊技情報を遊技制御手段２８から外部に取り出し得るようになっている。なお、入賞球情報出力部８０、通過球情報出力部８１、遊技情報出力部８２はコネクタ等により構成されている。
　【００３５】
　上記弾球遊技機２において、ゲームに際し発射手段１２の発射ハンドル１３を操作すると、上皿１０の遊技球が発射手段１２の発射動作に連動して１個づつ発射部に供給され、その遊技球を打撃槌で打撃してガイドレール３６に沿って順次遊技盤７側に発射させて行く。
　【００３６】
　遊技盤７の上部側に発射された遊技球は遊技盤７の遊技領域３７に入った後、その盤面に沿って落下する間に普通入賞手段４２等に入賞するか、始動ゲート４１又は通過口４７を通過しながら下方へと落下する。始動ゲート４１に遊技球が通過すると、その通過球検出スイッチ７３が通過球を検出し、第１図柄表示手段４４の表示図柄が変動する。そして、この第１図柄表示手段４４の変動後の停止図柄が当たり図柄になれば、可変式入賞手段３９の開閉爪５２が所定時間開放して、この可変式入賞手段３９に遊技球が入賞し易くなる。
　【００３７】
　可変式入賞手段３９に遊技球が入賞すると、第２図柄表示手段３８ａの表示図柄が所定時間変動する。この第２図柄表示手段３８ａの停止後の表示図柄が大当たり図柄になれば、大入賞手段４０の開閉板６１が前側に開放して大入賞口６０に遊技球が入賞し易くなる。そして、開閉板６１の開放から所定時間が経過するか、又は所定数の遊技球が入賞すると、開閉板６１が閉じる。しかし、開閉板６１の開放中に遊技球が特定領域を通過すれば、開閉板６１が再度開放し、以下同様の開閉動作を最大１６回まで繰り返す。
　【００３８】
　各入賞手段３９，４０，４２に入賞した入賞球は、遊技盤７の裏側に案内されて入賞球タンク２４内に集められた後、排出通路３０を経て排出口３１側へと移動する。そして、入賞球が排出口３１側に移動すると、入賞球排出手段３２の検出スイッチ３３が遊技球を検出し、ソレノイド３５が励磁して排出具３４を駆動するので、この排出具３４の作動によって入賞球を１個づつ排出して行く。
　【００３９】
　一方、入賞球排出手段３２が入賞球を１個排出する毎に景品球排出手段１８が作動して、入賞球１個について６個の景品球を順次排出する。しかし、この時、大入賞手段４０に対する入賞があれば、入賞球検出スイッチ６４からの信号により景品球排出制御部７９の優先排出機能が働いて、景品球排出手段１８が入賞球１個について１５個の景品球を排出する。
　【００４０】
　遊技盤７側に各遊技部品を組み立てた後に検査する場合、検定機関等で検査する場合、又は遊技店において集中管理装置で各弾球遊技機２を集中的に管理する場合には、外部情報取り出し基板２７の入賞球情報出力部８０、通過球情報出力部８１、遊技情報出力部８２に外部リード線等のコネクタを接続すれば、各出力部８０，８１，８２から外部リード線等を経て外部に入賞球情報、通過球情報及び遊技情報の一部又は全部の内、必要な情報を外部に取り出すことができる。従って、各情報から遊技盤７側の入賞手段３９，４０，４２、その他の良否等を容易に検査できると共に、各弾球遊技機２の管理等を容易に行うことができる。
　【００４１】
　以上、本発明の実施形態を説明したが、本発明はこの実施形態に限定されるものではない。例えば、各入賞口４３，５１，６０，６５，６６，７０に対応して入賞球検出スイッチ５５，５６，６３，６４，６７，６８，７１を設ける場合に、実施形態に例示するように入賞手段３９，４０，４２側に入賞球検出スイッチ５５，５６，６３，６４，６７，６８，７１を組み込んでも良いし、入賞手段３９，４０，４２とは別に遊技盤７の裏側に設けられた集合通路４８，５４，６９等に設けても良い。
　【００４２】
　入賞球検出スイッチ５５，５６，６３，６４，６７，６８，７１は、入賞球を検出し得るものであれば良く、接触式又は非接触式の何れを用いても良い。遊技盤７の遊技領域３７内の遊技部品には、実施形態に例示以外のものを使用しても良いし、また実施形態以外の配置にしても良い。
　【００４３】
　また本発明は、パチンコ機に限らず、アレンジボール機、雀球機等の弾球遊技機においても同様に実施することが可能である。
　【００４４】
　【発明の効果】
　本発明によれば、遊技領域３７内に複数個の入賞口４３，５１，６０，６５，６６，７０が配置された遊技盤７と、入賞口４３，５１，６０，６５，６６，７０に入賞した入賞球を遊技盤７の裏側で１個づつ排出する入賞球排出手段３２と、景品球を排出する景品球排出手段１８と、入賞球に応じて入賞球排出手段３２及び景品球排出手段１８を制御する排出制御手段７７と、主に遊技盤７側に係わる遊技動作を制御する遊技制御手段２８とを備え、各入賞口４３，５１，６０，６５，６６，７０に入賞した入賞球を検出する入賞球検出スイッチ５５，５６，６３，６４，６７，６８，７１を、遊技領域３７内の全ての入賞口４３，５１，６０，６５，６６，７０に夫々対応して設け、該各入賞球検出スイッチ５５，５６，６３，６４，６７，６８，７１を遊技盤７の裏側から着脱自在に備え、排出制御手段７７は、入賞球を検出する毎に入賞球排出手段３２の排出動作を制御する入賞球排出制御部７８と、入賞球排出手段３２が入賞球を１個排出する毎に景品球排出手段１８が規定数の景品球を排出するように該景品球排出手段１８の排出動作を制御する
景品球排出制御部７９
備え、更に、全ての前記入賞口４３，５１，６０，６５，６６，７０の前記入賞球検出スイッチ５５，５６，６３，６４，６７，６８，７１からの入賞球情報を外部に取り出し得る入賞球情報出力部８０を設けているので
　【００４５】
　また複数個の入賞口４３，５１，６０，６５，６６，７０の内、一部の入賞口６０への入賞による景品球が、他の入賞口４３，５１，６５，６６，７０への入賞による景品球と異なっているので、入賞口４３，５１，６０，６５，６６，７０によって景品球の排出個数に変化を持たせることができ、しかも各入賞口４３，５１，６０，６５，６６，７０に対応して入賞球検出スイッチ５５，５６，６３，６４，６７，６８，７１があるため、景品球の排出個数を入賞口４３，５１，６０，６５，６６，７０によって変えても容易に制御できる。
　【００４６】
　更に遊技領域３７に配置された全ての遊技球通過用のゲート４１又は通過口４７に、遊技球の通過を検出する通過球検出スイッチ５７，７３を設けているので、全てのゲート４１又は通過口４７の通過球情報を必要に応じて適宜容易に取り出すことができ、検査等を容易に行える。
　【００４７】
　【００４８】
　通過球検出スイッチ５７，７３からの通過球情報を出力する通過球情報出力部８１を設けているので、通過球情報を容易に取り出すことができる。
　【００４９】
　また遊技制御手段２８からの遊技情報を出力する遊技情報出力部８２を設けているので、遊技情報を容易に取り出すことができる。
【図面の簡単な説明】
　【図１】
　本発明の一実施形態を示す弾球遊技機の設置状態の正面図である。
　【図２】
　本発明の一実施形態を示す弾球遊技機の背面図である。
　【図３】
　本発明の一実施形態を示す遊技盤の正面図である。
　【図４】
　本発明の一実施形態を示す遊技盤の背面断面図である。
　【図５】
　本発明の一実施形態を示す液晶表示手段の一部切り欠き正面図である。
　【図６】
　本発明の一実施形態を示す液晶表示手段の縦断面図である。
　【図７】
　本発明の一実施形態を示す液晶表示手段の上部側及び始動ゲートの縦断面図である。
　【図８】
　本発明の一実施形態を示す可変式入賞手段及び大入賞手段の縦断面図である。
　【図９】
　本発明の一実施形態を示す大入賞手段の縦断面図である。
　【図１０】
　本発明の一実施形態を示す普通入賞手段及び大入賞手段の縦断面図である。
　【図１１】
　本発明の一実施形態を示す制御系のブロック図である。
　【符号の説明】
　７　遊技盤
　１８　景品球排出手段
　２８　遊技制御手段
　３２　入賞球排出手段
　３７　遊技領域
　３９　可変入賞手段
　４０　大入賞手段
　４１　始動ゲート
　４３，５１，６０，６５，６６，７０　入賞口
　４７　通過口
　５５，５６，６３，６４，６７，６８，７１　入賞球検出スイッチ
　５７，７３　通過球検出スイッチ
　７７　排出制御手段
　８０　入賞球情報出力部
　８１　通過球情報出力部
　８２　遊技情報出力部